(57)【要約】【構成】液晶パネル１４および１８は、各々が前方を向くように積層される。４個のスペーサ１６，１６，…は、液晶パネル１４および１８の間に取り外し可能に設けられる。液晶パネル１４および１８は、スペーサ１６の厚みに相当する間隔でスペーサ１６の厚み方向に並ぶ５個の貫通孔１２２，１２２，…およびいずれか１つの貫通孔１２２と係合する突起１８２によって位置決めされる。【効果】液晶パネル１４および１８の間に設けられるスペーサ１６を取り外し可能とすることで、多層表示される画像の立体感を調整することができる。【選択図】図１
2008152235.tif 000002
【特許請求の範囲】
【請求項１】
積層された複数の液晶パネル、および前記複数の液晶パネルの間に少なくとも１以上の取り外し可能なスペーサを備える液晶表示装置であって、
前記複数の液晶パネルの位置を決定するための係合部を有することを特徴とする、液晶表示装置。
【請求項２】
前記複数の液晶パネルのうち最前方に配置される第１液晶パネルの一部を前方から覆う第１カバー、および前記複数の液晶パネルのうち最後方に配置される第２液晶パネルの一部を後方から覆う第２カバーをさらに備え、
前記係合部は、前記第１カバー側および前記第２カバー側に設けられ、互いに係合する一対の係合部材で構成されることを特徴とする、請求項１記載の液晶表示装置。
【請求項３】
前記第１カバー側の係合部材は、前記スペーサの厚みに相当する間隔で前記第１カバーの側面に前記スペーサの厚み方向に設けられる複数の穿孔に相当し、前記第２カバー側の係合部材は前記第２液晶パネルの側面に設けられる突起に相当する、請求項２記載の液晶表示装置。
【請求項４】
前記スペーサを枠状に形成し、かつ内周面に発光素子を設けるようにした、請求項１ないし３のいずれかに記載の液晶表示装置。
【請求項５】
前記少なくとも１以上のスペーサのうち余分のスペーサを前記第２液晶パネルと前記第２カバーとの間に設けるようにした、請求項１ないし４のいずれかに記載の液晶表示装置。
【請求項６】
請求項１ないし５の何れか一項に記載の液晶表示装置と、
前記各液晶パネルを駆動制御する回路部を有することを特徴とする表示機能付き機器。
【請求項７】
第１の液晶パネルと、
前記第1の液晶パネルに対し前後方向に並べて配置される第２の液晶パネルと、
前記第１の液晶パネルと前記第２の液晶パネルの間の距離を規定するスペーサと、
前記第１の液晶パネルと前記第２の液晶パネルの位置を固定する固定機構を備え、
前記固定機構は、前記スペーサによって規定される距離に応じた位置に前記第１の液晶パネルと前記第２の液晶パネルを固定する、
ことを特徴とする液晶表示装置。
【請求項８】
前記固定機構は、係合位置が可変であるとともに係合によって前記第１の液晶パネルと前記第２の液晶パネルの位置を固定する係合部を備え、前記係合位置の間隔が前記スペーサにて規定される距離に応じて設定されている、
ことを特徴とする請求項７に記載の液晶表示装置。
【請求項９】
前記係合部は、一方向に配列された複数の穿孔と、前記複数の穿孔に係合する突起を備え、前記複数の穿孔の間隔が前記スペーサにて規定される距離に応じて設定されている、
ことを特徴とする請求項８に記載の液晶表示装置。
【請求項１０】
前記係合位置の間隔が、前記第１の液晶パネルと前記第２の液晶パネルの間に配される前記スペーサの個数に応じて設定されている、
ことを特徴とする請求項８または９に記載の液晶表示装置。
【請求項１１】
前記固定機構は、前記第１の液晶パネルと前記第２の液晶パネルの間に前記スペーサが介在しない場合に、前記第１の液晶パネルと前記第２の液晶パネルが互いに重なり合う位置に、前記第１の液晶パネルと前記第２の液晶パネルを固定する、
ことを特徴とする請求項７ないし１０の何れか一項に記載の液晶表示装置。
【請求項１２】
請求項７ないし１１の何れか一項に記載の液晶表示装置と、
前記各液晶パネルを駆動制御する回路部を有することを特徴とする表示機能付き機器。
【発明の詳細な説明】
【技術分野】
【０００１】
この発明は、液晶表示装置およびそれを搭載した表示機能付き機器に関し、特にたとえば、積層された複数の液晶パネルでそれぞれ再現される複数の画像を前面から出力する、液晶表示装置およびそれを搭載した表示機能付き機器に関する。
【背景技術】
【０００２】
現在、液晶表示装置が、様々な機器に搭載されている。ゲーム機や遊技機器などでは、液晶表示装置に所望のコンテンツ画像が表示される。これにより、臨場感が高揚され、ゲームや遊戯の面白みが高められる。
【０００３】
従来、この種の液晶表示装置には、単一の液晶パネルが用いられていた。このため、表示画像は２次元画像となり、これに立体感を持たせるには、専用のメガネを掛ける等の工夫が必要であった。これに対し、最近では、複数の液晶パネルを厚み方向に配置し、表示画像に奥行き感を持たせる構成が採られつつある。ここでは、それぞれの液晶パネルに異なる画像が表示され、観る者によって、各液晶パネルの画像が合成される。このように、画像の配置を前後させることにより、合成画像に奥行き感が与えられる。また、各液晶パネルに表示される画像を工夫することにより、視覚効果を異ならせることができる。
【０００４】
この種の装置の一例が、特許文献１に開示されている。この従来技術によれば、各々が画像を再現する複数のスクリーンが、予め調整された距離を隔てて平行に配置される。この距離は、典型的には正面スクリーンの縦の長さの１／４であるが、実際の距離は所望の効果に合わせて変更される。
【特許文献１】特許第３３３５９９８号公報［H04N 13/04, G02B 27/22, G09F 19/12, G09G 3/20］
【発明の開示】
【発明が解決しようとする課題】
【０００５】
しかし、従来技術では、スクリーン間の距離を変更するための具体的な構成については何ら開示されていない。
【０００６】
それゆえに、この発明の主たる目的は、多層表示される画像の立体感を調整することができる、新規な液晶表示装置およびそれを搭載した表示機能付き機器を提供することである。
【課題を解決するための手段】
【０００７】
請求項１の発明に従う液晶表示装置(10：実施例で相当する参照符号。以下同じ)は、積層された複数の液晶パネル(14,18)、および複数の液晶パネルの間に少なくとも１以上の取り外し可能なスペーサ(16)を備える液晶表示装置(10)であって、複数の液晶パネルの位置を決定するための係合部(122,182)を有することを特徴とする。
【０００８】
１以上のスペーサは、積層された複数の液晶パネルの間に、取り外し可能に設けられる。複数の液晶パネルの位置は、係合部によって決定される。液晶パネルの間に設けられるスペーサを取り外し可能とすることで、多層表示される画像の立体感を調整することができる。また、複数の液晶パネルの位置を係合部によって決定することで、スペーサの数に関係なく複数の液晶パネルを固定することができる。
【０００９】
請求項２の発明に従う液晶表示装置は、請求項１に従属し、複数の液晶パネルのうち最前方に配置される第１液晶パネルの一部を前方から覆う第１カバー(12)、および複数の液晶パネルのうち最後方に配置される第２液晶パネルの一部を後方から覆う第２カバー(20)をさらに備え、係合部は、第１カバー側および第２カバー側に設けられ、互いに係合する一対の係合部材で構成される。
【００１０】
請求項３の発明に従う液晶表示装置は、請求項２に従属し、第１カバー側の係合部材は、スペーサの厚みに相当する間隔で第１カバーの側面にスペーサの厚み方向に設けられる複数の穿孔(122)に相当し、第２カバー側の係合部材は第２液晶パネルの側面に設けられる突起(182)に相当する。
【００１１】
請求項４の発明に従う液晶表示装置は、請求項１ないし３のいずれかに従属し、スペーサを枠状に形成し、かつ内周面に発光素子(164R,164G,164B,165)を設けるようにした液晶表示装置である。発光素子を発光させることで、出力画像に特殊効果を施すことができる。
【００１２】
請求項５の発明に従う液晶表示装置は、請求項１ないし４のいずれかに従属し、少なくとも１以上のスペーサのうち余分のスペーサを第２液晶パネルと第２カバーとの間に設けるようにした液晶表示装置である。これによって、余分なスペーサの紛失を防止することができる。
【００１３】
請求項６の発明に従う表示機能付き機器は、請求項１ないし５の何れか一項に記載の液晶表示装置と、前記各液晶パネルを駆動制御する回路部を有することを特徴とする。
【００１４】
請求項７の発明に従う液晶表示装置(10)は、第１の液晶パネル(14)と、前記第1の液晶パネル(14)に対し前後方向に並べて配置される第２の液晶パネル(18)と、前記第１の液晶パネル(14)と前記第２の液晶パネル(18)の間の距離を規定するスペーサ(16)と、前記第１の液晶パネル(14)と前記第２の液晶パネル(18)の位置を固定する固定機構(122,182)を備え、前記固定機構(122,182)は、前記スペーサ(16)によって規定される距離に応じた位置に前記第１の液晶パネル(14)と前記第２の液晶パネル(18)を固定することを特徴とする。
【００１５】
請求項８の発明に従う液晶表示装置は、請求項７に従属し、前記固定機構は、係合位置が可変であるとともに係合によって前記第１の液晶パネルと前記第２の液晶パネルの位置を固定する係合部(122,182)を備え、前記係合位置の間隔が前記スペーサにて規定される距離に応じて設定されていることを特徴とする。
【００１６】
請求項９の発明に従う液晶表示装置は、請求項８に従属し、前記係合部は、一方向に配列された複数の穿孔(122)と、前記複数の穿孔(122)に係合する突起(182)を備え、前記複数の穿孔(122)の間隔が前記スペーサにて規定される距離に応じて設定されていることを特徴とする。
【００１７】
請求項１０の発明に従う液晶表示装置は、請求項８または９に従属し、前記係合位置の間隔が、前記第１の液晶パネルと前記第２の液晶パネルの間に配される前記スペーサの個数に応じて設定されていることを特徴とする。
【００１８】
請求項１１の発明に従う液晶表示装置は、請求項７ないし１０の何れか一項に従属し、前記固定機構は、前記第１の液晶パネルと前記第２の液晶パネルの間に前記スペーサが介在しない場合に、前記第１の液晶パネルと前記第２の液晶パネルが互いに重なり合う位置に、前記第１の液晶パネルと前記第２の液晶パネルを固定することを特徴とする。
【００１９】
請求項１２の発明に従う表示機能付き機器は、請求項７ないし１１の何れか一項に記載の液晶表示装置と、前記各液晶パネルを駆動制御する回路部を有することを特徴とする。
【発明の効果】
【００２０】
請求項１ないし６の発明によれば、液晶パネルの間に設けられるスペーサを取り外し可能とすることで、多層表示される画像の立体感を調整することができる。また、複数の液晶パネルの位置を係合部によって決定することで、スペーサの数に関係なく複数の液晶パネルを固定することができる。
【００２１】
請求項７ないし１２の発明によれば、第１の液晶パネルと前記第２の液晶パネルの間の距離がスペーサによって調整されるため、多層表示される画像の立体感を調整することができる。また、第１の液晶パネルと前記第２の液晶パネルの位置が固定機構により固定されるため、スペーサによって規定される距離に応じて第１の液晶パネルと前記第２の液晶パネルを固定することができる。
【００２２】
この発明の上述の目的，その他の目的，特徴および利点は、図面を参照して行う以下の実施例の詳細な説明から一層明らかとなろう。
【発明を実施するための最良の形態】
【００２３】
図１を参照して、この実施例の液晶表示装置１０は、前方カバー１２，正面側の液晶パネル１４，複数（ここでは４つ）のスペーサ１６，１６，…，背面側の液晶パネル１８および後方カバー２０によって形成される。
【００２４】
液晶パネル１４および１８はいずれも矩形の板状に形成され、主面の大きさならびに主面に設けられる表示画面の大きさは液晶パネル１４および１８の間で一致する。スペーサ１６，１６，…は合成樹脂を材料として矩形の枠状に形成され、その大きさは液晶パネル１４または１８の主面の大きさとほぼ一致する。さらに、枠によって定義される窓Ｗ２の大きさは、表示画面の大きさとほぼ一致する。
【００２５】
液晶パネル１４，スペーサ１６，１６，…および液晶パネル１８は、各々の主面または窓Ｗ２の中心が軸ＡＸと一致し、かつ各々の四隅が互いに接するように、軸ＡＸ方向に積層される。積層された液晶パネル１４および１８の表示画面はいずれも前方を向く。
【００２６】
前方カバー１２は液晶パネル１４の正面外周と側面とを覆う直方体状のカバーであり、液晶パネル１４の表示画面と同じサイズの窓Ｗ１が前方カバー１２の主面に形成される。後方カバー２０は、液晶パネル１８の背面および側面を覆う直方体状のカバーである。液晶パネル１４，スペーサ１６，１６，…および液晶パネル１８の積層体は、このような前方カバー１２および後方カバー２０によって封止される。
【００２７】
図２（Ａ），図２（Ｂ）および図３を参照して、スペーサ１６は、窓Ｗ２を規定する矩形の枠１６１を有する。枠１６１の内周部は、軸ＡＸ方向に沿ってエンボス加工を施される。内周部の一方側面は凸部１６２を有する一方、内周部の他方側面は凹部１６３を有する。したがって、凸部１６２を同じ方向に向け、かつ枠１６１の四隅が互いに接するように複数のスペーサ１６，１６，…を軸ＡＸ方向に積層すると、或るスペーサ１６の凸部１６２が他のスペーサ１６の凹部１６３と嵌合する。これによって、複数のスペーサ１６，１６，…が相対的に位置決めされる。
【００２８】
図４を参照して、前方カバー１２の側面には、後方に向かって開口しかつ軸ＡＸに沿って前方に延びる略Ｕ字状の切欠（スリット）１２１が形成される。前方カバー１２の側面にはまた、軸ＡＸに沿って並ぶ複数（ここでは５つ）の貫通孔１２２，１２２，…が形成される。各々の貫通孔１２２は矩形を有し、隣り合う２つの貫通孔１２２および１２２の間隔は、スペーサ１６の厚みに相当する。より詳しくは、２つの貫通孔１２２および１２２の間隔は枠１６１の外周部または内周部の厚みに相当し、外周部または内周部の厚みが５０ｍｍであれば、２つの貫通孔１２２および１２２の間隔も５０ｍｍとなる。
【００２９】
なお、図１から分かるように、切欠１２１は、前方ケース１２の左右側面の上方および下方の合計４箇所に形成される。また、複数の貫通孔１２２，１２２，…は、前方ケース１２の左右側面の上段，中断および下段の合計６箇所に形成される。
【００３０】
図５を参照して、液晶パネル１８の前面には、最後方のスペーサ１６の凹部１６３と嵌合する凸部１８１が形成される。また、液晶パネル１８の側面には、上述した複数の貫通孔１２２，１２２，…のいずれか１つと係合する突起（ツメ）１８２が設けられる。このような突起１８２は、液晶パネル１８の左右側面の上段，中断および下段の合計６箇所に設けられる。
【００３１】
図６から分かるように、突起１８２は上方から眺めて鋸歯状に形成され、斜面は斜め前方を向く。かかる突起１８２は、液晶パネル１４および１８の間に介挿されるスペーサ１６の数が“０”のとき、図４に示す複数の貫通孔１２２，１２２，…のうち最前方の貫通孔１２２に引っ掛けられる。また、液晶パネル１４および１８の間に介挿されるスペーサ１６の数が“４”のとき、図４に示す複数の貫通孔１２２，１２２，…のうち最後方の貫通孔１２２に引っ掛けられる。
【００３２】
図７（Ａ）を参照して、液晶パネル１８の左右側面にはまた、前方カバー１２の左右側面に形成された切欠１２１，１２１，…に対応して、ねじ孔１８３，１８３，…が形成される。後方カバー２０の左右側面には、前方カバー１２の左右側面に形成された切欠１２１，１２１，…に対応して、切欠２０１，２０１，…が形成される。
【００３３】
したがって、４個のスペーサ１６，１６，…を液晶パネル１４および１８の間に挟んだ状態で液晶パネル１４，スペーサ１６，１６，…および液晶パネル１８を前方カバー１２に納めると、液晶パネル１８に設けられた突起１８２が最後方の貫通孔１２２と係合し、液晶パネル１８に設けられたねじ孔１８３が切欠１２１を通して外部に露出する。
【００３４】
ここで後方カバー２０を液晶パネル１８に被せると、ねじ孔１８３は、後方カバー２０に設けられた切欠２０１を通して外部に露出する。ねじ２２をねじ孔１８３に螺入すると、ねじ２２の外周縁が切欠１２１および２０１に引っ掛かり、前方カバー１２および後方カバー２０が液晶パネル１８に共締めされる。これによって、図７（Ｂ）に示す液晶表示装置１０が完成する。
【００３５】
なお、図８に示すように３個のスペーサ１６，１６，…を液晶パネル１４および１８の間に挿入しかつ１個のスペーサ１６を液晶パネル１８および後方カバー２０の間に挿入すると、図１０に示す液晶表示装置１０が得られる。また、図９に示すように４個のスペーサ１６の全てを液晶パネル１８および後方カバー２０の間に挿入すると、図１１に示す液晶表示装置１０が得られる。
【００３６】
以上の説明から分かるように、液晶パネル１４および１８は、各々が前方を向くように積層される。４個（Ｎ個）のスペーサ１６，１６，…は、液晶パネル１４および１８の間に取り外し可能に設けられる。液晶パネル１４および１８は、スペーサ１６の厚みに相当する間隔でスペーサ１６の厚み方向に並ぶ５個の貫通孔１２２，１２２，…およびいずれか１つの貫通孔１２２と係合する突起１８２によって位置決めされる。
【００３７】
液晶パネル１４および１８の間に設けられるスペーサ１６を取り外し可能とすることで、多層表示される画像の立体感を調整することができる。また、複数の貫通孔１２２，１２２，…をスペーサ１６の厚みに相当する間隔でスペーサ１６の厚み方向に形成し、突起１８２を複数の貫通孔１２２，１２２，…のいずれか１つと係合させることで、スペーサ１６の数に関係なく液晶パネル１４および１８を固定することができる。
【００３８】
なお、この実施例では、２つの液晶パネル１４および１８を互いに積層するようにしているが、積層する液晶パネルの数が３個以上であってもよい。また、この実施例では、液晶パネル１８の側面に設けられた突起１８２と前方カバー１２の側面に設けられた貫通孔１２２とを互いに係合させるようにしている。しかし、互いに係合する２つの係合部は、液晶パネル１４および１８にそれぞれ設けたり、液晶パネル１４および後方カバー２０にそれぞれ設けたりしてもよい。また、突起を液晶パネル１４の側面形成し、この突起と係合する複数の貫通孔を後方カバー２０の側面に形成するようにしてもよい。
【００３９】
また、この実施例では、スペーサ１６の内周部はエンボス加工を施されるのみであるが、図１２に示す３原色のＬＥＤ１６４Ｒ，１６４Ｇおよび１６４Ｂをスペーサ１６の内周面に設けたり、図１３に示す半導体レーザ１６５をスペーサ１６の内周面に設けるようにしてもよい。加えて、内周全面にわたる網掛け部分に鏡などの反射材を貼り付けてもよい。これによって、前面に向けて出力される画像に特殊な視覚効果を与えたり、スペーサ１６を前方から見えなくすることができる。なお、半導体レーザ１６５から出射されたレーザ光は、好ましくは、液晶パネル１８の拡散板に照射される。
【００４０】
この実施例の液晶表示装置１０は、パチンコ機やスロットマシン等の遊技機器や、キャッシュディスペンサ等に組み込むことができる。
【００４１】
図１４は、液晶表示装置１０が組み込まれたパチンコ機の正面図である。前面盤には開口３３が形成されており、この開口３３から前方カバー１２の窓Ｗ１が外部に臨むようにして、液晶表示装置１０がパチンコ機３０に取り付けられている。３１はスピーカ、３２はランプ、ＬＥＤ等の発光部である。
【００４２】
グリップ３８を時計方向に回すと、パチンコ玉が前面盤上部に向かって弾かれる。パチンコ玉が入賞口３４に入ると、玉受け３７に数個のパチンコ球が払い出され、同時に、液晶表示装置１０が駆動される。液晶表示装置１０に表示された画像が当たり（ヒット）になると、一定時間の間蓋３５が開かれ、蓋３５によって閉じられていた開口３６にパチンコ玉が進入可能となる。開口３６にパチンコ玉が入ると、入った個数に応じた数のパチンコ玉が玉受け３７に払い出される。
【００４３】
図１５は、パチンコ機の回路構成を示す図である。なお、同図には、液晶表示装置１０の駆動制御系とその周辺回路が示されている。
【００４４】
３０１、３０２は、それぞれ、入賞口３４と開口３６に入ったパチンコ玉を検出するセンサである。これらセンサ３０１、３０２は、入賞口３４と開口３６に入ったパチンコ玉が通る通路に配され、この通路を通過したパチンコ玉を検知する。センサ３０１、３０２は、磁気にて通過を検知するタイプの他、機械的に玉の通過を検知するセンサを用いることもできる。センサ３０１、３０２からの検出信号は、メイン基板３０３のＣＰＵ３０３Ａに入力される。
【００４５】
メイン基板３０３には、ＣＰＵ３０３Ａと、ＲＯＭ３０３Ｂと、ＲＡＭ３０３Ｃと、駆動回路３０３Ｄが配されている。ＣＰＵ３０３Ａは、ＲＯＭ３０３Ｂに格納されたプログラムに従って処理を行う。ＲＡＭ３０３Ｃは、ＣＰＵ３０３Ａのワークメモリとして使用される。すなわち、ＣＰＵ３０３Ａにおける処理の際に、ＲＡＭ３０３Ｃに各種データが一時格納される。駆動回路３０３Ｄは、ＣＰＵ３０３Ａからの指令に応じてソレノイド３０６を駆動する。これにより、図１４に示す蓋３５が開放され、開口３６にパチンコ玉が進入可能となる。
【００４６】
画像ボード３０７は、液晶表示装置１０の駆動制御を行うためのものである。画像ボード３０７には、ＣＰＵ３０７Ａと、ＲＯＭ３０７Ｂと、ＶＤＰ（Video Display Processor）３０７Ｃ、３０７Ｄが配されている。ＣＰＵ３０７Ａは、内蔵メモリに格納されたプログラムに従って処理を行う。ＲＯＭ３０７Ｂには、液晶パネル１４、１８に表示される画像データが格納されている。ＶＤＰ３０７Ｃ、３０７Ｄは、それぞれ、ＣＰＵ３０７Ａからの指令に応じて液晶パネル１４、１８を駆動する。これにより、ＲＯＭ３０７Ｂに格納された画像データに基づく画像が液晶パネル１４、１８上に表示される。
【００４７】
サブ基板３０８は、図１４に示すスピーカ３１と発光部３２を駆動制御するためのものである。サブ基板３０８には、ＣＰＵ３０８Ａと、駆動回路３０８Ｂ、３０８Ｃが配されている。ＣＰＵ３０８Ａは、内蔵メモリに格納されたプログラムに従って処理を行う。駆動回路３０８Ｂ、３０８Ｃは、ＣＰＵ３０８Ａからの指令に応じて、それぞれ、スピーカ３１と発光部３２を駆動する。なお、パチンコ機に風車や人形等のカラクリ機構が組み込まれている場合には、その動力源３０９（ソレノイドやモータ等）を駆動するための駆動回路３０８Ｄがサブ基板３０８にさらに配される。
【００４８】
センサ３０１から検出信号が入力されると、ＣＰＵ３０３Ａは、玉出し基板３０４上のＣＰＵ３０４Ａに玉の払い出し指令を出力し、同時に、画像ボード３０７上のＣＰＵ３０７Ａに所定モードの表示指令を出力する。これを受けてＣＰＵ３０４Ａは、駆動回路３０４Ｂに駆動指令を出力する。これにより、玉出し機３０５が駆動され、一定個数のパチンコ玉が玉受け３７に払い出される。
【００４９】
このとき、ＣＰＵ３０７Ａは、ＣＰＵ３０３Ａから指示されたモードの表示画像をＶＤＰ３０７Ｃ、３０７Ｄに表示させる。ＶＤＰ３０７Ｃ、３０７Ｄは、指令を受けたモードの画像データをＲＯＭ３０７Ｂから読み出して、液晶パネル１４、１８上に表示させる。
【００５０】
さらに、ＣＰＵ３０７Ａは、ＣＰＵ３０３Ａから指示されたモードに対応する駆動指令をサブ基板３０８のＣＰＵ３０８Ａに出力する。これを受けてＣＰＵ３０８Ａは、このモードに応じた駆動信号を駆動回路３０８Ｂ、３０８Ｃに出力する。これにより、スピーカ３１、発光部３２が、このモードに応じた状態にて駆動される。
【００５１】
パチンコ機器の動作が進行する間、メイン基板３０３上のＣＰＵ３０３Ａは、センサ３０１から入力される検出信号をもとに入り玉の状況をモニタし、随時、当たり（ヒット）のタイミングを判別する。当たり（ヒット）のタイミングが到来すると、ＣＰＵ３０３Ａは、駆動回路３０３Ｄに駆動指令を出力し、ソレノイド３０６を駆動させる。これにより、蓋３５が開けられ、開口３６が開放される。その後、開口３６にパチンコ玉が入ると、センサ３０２からＣＰＵ３０３Ａに検出信号が出力される。これに応じてＣＰＵ３０３Ａは、玉出し基板３０４に玉出し指令を出力する。これにより、順次、玉受け３７にパチンコ玉が払い出される。
【００５２】
また、当たり（ヒット）のタイミングが到来すると、ＣＰＵ３０３Ａは、画像ボード３０７に当たり（ヒット）に応じたモードの画像を表示させる指令を出力する。これを受けて、ＣＰＵ３０７Ａは、当たり（ヒット）に応じたモードの表示画像をＶＤＰ３０７Ｃ、３０７Ｄに表示させる。ＶＤＰ３０７Ｃ、３０７Ｄは、このモードの画像データをＲＯＭ３０７Ｂから読み出して、液晶パネル１４、１８上に表示させる。同時に、ＣＰＵ３０７Ａは、サブ基板３０８のＣＰＵ３０８Ａに当たり（ヒット）に応じた駆動指令を出力する。これにより、スピーカ３１、発光部３２が、当たり（ヒット）のモードに応じた状態にて駆動される。
【００５３】
このように、本実施例の液晶表示装置１０をパチンコ機３０に組み込むと、表示画像に奥行き感と立体感を与えることができる。よって、表示画像による視覚的効果を高めることができ、パチンコ機３０の遊戯性ないし面白みを高めることができる。特に、本実施例の液晶表示装置１０を用いる場合には、液晶パネル１４および１８の間に設けられるスペーサ１６を取り外し可能とすることで、多層表示される画像の立体感を調整することができる。よって、立体感を表示画像に適正となるように調整することができる。
【００５４】
なお、図１２および図１３に示すように、ＬＥＤ１６４Ｒ，１６４Ｇ、１６４Ｂをスペーサ１６の内周面に設け、あるいは、半導体レーザ１６５をスペーサ１６の内周面に設け場合には、図１５に示すサブ基板３０８に、これらＬＥＤ１６４Ｒ，１６４Ｇ、１６４Ｂまたは半導体レーザ１６５を駆動するための駆動回路が配されることとなる。
【００５５】
図１６は、液晶表示装置１０をスロットマシンに組み込む場合の構成例を示す図である。同図は、スロットマシン４０の正面図である。前側面には開口４４が形成されており、この開口４４から前方カバー１２の窓Ｗ１が外部に臨むようにして、液晶表示装置１０がスロットマシン４０に取り付けられている。４１はスピーカ、４２はランプ、ＬＥＤ等の発光部である。
【００５６】
メダル挿入口４５にメダルを挿入し、レバー４６を押し下げると、３つのリール４３が回転する。その後、３つのストップスイッチ４７が押されると、各ストップスイッチ４７に対応するリール４３が停止される。各リール４３に表示された数字や記号が全て同じになると、一定個数のメダルがメダル受け４８に払い出される。
【００５７】
図１７は、スロットマシン４０の回路構成を示す図である。なお、同図には、液晶表示装置１０の駆動制御系とその周辺回路が示されている。
【００５８】
４０１は、メダル挿入口４５にメダルが挿入されたことを検出するセンサである。また、スイッチ４０２は、レバー４６とストップスイッチ４７が操作されたときに入るスイッチである。センサ４０１とスイッチ４０２からの信号は、メイン基板４０３上のＣＰＵ４０３Ａに入力される。
【００５９】
メイン基板４０３には、ＣＰＵ４０３Ａと、ＲＯＭ４０３Ｂと、ＲＡＭ４０３Ｃと、駆動回路４０３Ｄが配されている。ＣＰＵ４０３Ａは、ＲＯＭ４０３Ｂに格納されたプログラムに従って処理を行う。ＲＡＭ４０３Ｃは、ＣＰＵ４０３Ａのワークメモリとして使用される。すなわち、ＣＰＵ４０３Ａにおける処理の際に、ＲＡＭ４０３Ｃに各種データが一時格納される。駆動回路４０３Ｄは、ＣＰＵ４０３Ａからの指令に応じてモータ４０６を駆動／非駆動の状態とする。これにより、図１６に示すリール４３が回転／非回転の状態とされる。
【００６０】
画像ボード４０７は、液晶表示装置１０の駆動制御を行うためのものである。画像ボード４０７には、ＣＰＵ４０７Ａと、ＲＯＭ４０７Ｂと、ＶＤＰ（Video Display Processor）４０７Ｃ、４０７Ｄが配されている。ＣＰＵ４０７Ａは、内蔵メモリに格納されたプログラムに従って処理を行う。ＲＯＭ４０７Ｂには、液晶パネル１４、１８に表示される画像データが格納されている。ＶＤＰ４０７Ｃ、４０７Ｄは、それぞれ、ＣＰＵ４０７Ａからの指令に応じて液晶パネル１４、１８を駆動する。これにより、ＲＯＭ４０７Ｂに格納された画像データに基づく画像が液晶パネル１４、１８上に表示される。
【００６１】
サブ基板４０８は、図１６に示すスピーカ４１と発光部４２を駆動制御するためのものである。サブ基板４０８には、ＣＰＵ４０８Ａと、駆動回路４０８Ｂ、４０８Ｃが配されている。ＣＰＵ４０８Ａは、内蔵メモリに格納されたプログラムに従って処理を行う。駆動回路４０８Ｂ、４０８Ｃは、ＣＰＵ４０８Ａからの指令に応じて、それぞれ、スピーカ４１と発光部４２を駆動する。
【００６２】
センサ４０１から検出信号が入力され、さらに、スイッチ４０２からレバー４６の操作信号が入力されると、ＣＰＵ４０３Ａは、駆動回路４０３Ｄに駆動指令を出力する。これにより、リール４３が回転される。その後、スイッチ４０２からストップスイッチ４７の操作信号が入力されると、ＣＰＵ４０３Ａは、駆動回路４０３Ｄに、各スイッチに対応するリール４３の回転を停止する指令を出力する。これにより、リール４３の回転が停止される。
【００６３】
このとき、各リール４３に表示された数字や記号が全て同じになると、ＣＰＵ４０３Ａは、メダル出し基板４０４上のＣＰＵ４０４Ａにメダルの払い出し指令を出力し、同時に、画像ボード４０７上のＣＰＵ４０７Ａに当たり（ヒット）に応じたモードの表示指令を出力する。これを受けてＣＰＵ４０４Ａは、駆動回路４０４Ｂに駆動指令を出力する。これにより、メダル出し機４０５が駆動され、一定個数のメダルがメダル受け４８に払い出される。
【００６４】
このとき、ＣＰＵ４０７Ａは、ＣＰＵ４０３Ａから指示された当たり（ヒット）に応じたモードの表示画像をＶＤＰ４０７Ｃ、４０７Ｄに表示させる。ＶＤＰ４０７Ｃ、４０７Ｄは、このモードの画像データをＲＯＭ４０７Ｂから読み出して、液晶パネル１４、１８上に表示させる。同時に、ＣＰＵ４０７Ａは、サブ基板４０８のＣＰＵ４０８Ａに当たり（ヒット）に応じた駆動指令を出力する。これにより、スピーカ４１、発光部４２が、当たり（ヒット）のモードに応じた状態にて駆動される。
【００６５】
このように、本実施例の液晶表示装置１０をスロットマシン４０に組み込むと、表示画像に奥行き感と立体感を与えることができる。よって、表示画像による視覚的効果を高めることができ、スロットマシン４０の遊戯性ないし面白みを高めることができる。特に、本実施例の液晶表示装置１０を用いる場合には、液晶パネル１４および１８の間に設けられるスペーサ１６を取り外し可能とすることで、多層表示される画像の立体感を調整することができる。よって、立体感を表示画像に適正となるように調整することができる。
【００６６】
なお、この構成例においても、上記パチンコ機の場合と同様、図１２および図１３に示すように、ＬＥＤ１６４Ｒ，１６４Ｇ、１６４Ｂをスペーサ１６の内周面に設け、あるいは、半導体レーザ１６５をスペーサ１６の内周面に設け場合には、図１７に示すサブ基板４０８に、これらＬＥＤ１６４Ｒ，１６４Ｇ、１６４Ｂまたは半導体レーザ１６５を駆動するための駆動回路が配されることとなる。
【００６７】
以上、本実施例の液晶表示装置１０を機器に組み込む場合の構成例を、パチンコ機とスロットマシンを例に挙げて説明したが、キャッシュディスペンサ等、これらの機器以外にも液晶表示装置１０を組み込むことができる。
【００６８】
ところで、上記では、液晶パネル１４、１８のサイズを同じとしたが、液晶パネル１４、１８のサイズを異ならせるようにすることもできる。図１８は、前方の液晶パネル１４のサイズを上記実施例に比べて小さくしたときの構成図、図１９は、後方の液晶パネル１８のサイズを上記実施例に比べて小さくしたときの構成図である。
【００６９】
図１８の構成例では、液晶パネル１４の前面を押さえることができるよう、前方カバー１２の窓Ｗ１が液晶パネル１４のサイズに応じて縮小され、鍔部１２３の幅が広げられている。また、最も前方にあるスペーサ１６の窓Ｗ２も液晶パネル１４のサイズに応じて縮小され、同図には示されていないが、このスペーサ１６の前側面に液晶パネル１４を位置決めするための枠部が形成されている。
【００７０】
また、図１９の構成例では、最も後方にあるスペーサ１６の窓Ｗ２が液晶パネル１８のサイズに応じて縮小され、このスペーサ１６の後側面に液晶パネル１８を位置決めするための段部１６５が形成されている。
【００７１】
図２０（Ｂ）は、図１８に示す最も前方のスペーサ１６を前方側から見たときの平面図である。図示の如く、このスペーサ１６には、前側面に、内側面の輪郭が液晶パネル１４の外側面の輪郭よりもやや大きい枠部１６４が形成されている。同図（Ａ）に示す液晶パネル１４は、この枠部１６４内に前方側から嵌め込まれ、スペーサ１６に対し位置決めされる。同図（Ｃ）は、液晶パネル１４が枠部１６４内に嵌め込まれた状態を示している。この状態から、同図（Ｄ）に示す前方カバー１２でスペーサ１６を前方側から覆う。これにより、液晶パネル１４は、スペーサ１６と前方カバー１２の間に挟まれ、前後方向に変位を規制される。同図（Ｅ）は、枠部１６４内に液晶パネル１４が嵌め込まれたスペーサ１６を前方カバー１２によって前方から覆った状態を示している。
【００７２】
図２０（Ｇ）は、図１９に示す最も後方のスペーサ１６を後方側から見たときの平面図である。図示の如く、このスペーサ１６には、後側面に、内側面の輪郭が液晶パネル１８の外側面の輪郭よりもやや大きい段部１６５が形成されている。同図（Ｆ）に示す液晶パネル１８は、この枠部１６５内に後方側から嵌め込まれ、スペーサ１６に対し位置決めされる。同図（Ｈ）は、液晶パネル１８が段部１６５内に嵌め込まれた状態を示している。この状態から、同図（Ｉ）に示す後方カバー２０でスペーサ１６を後方側から覆う。これにより、液晶パネル１８は、スペーサ１８と後方パネル２０の間に挟まれ、前後方向に変位を規制される。同図（Ｊ）は、枠部１６５内に液晶パネル１８が嵌め込まれたスペーサ１６を後方カバー２０によって後方から覆った状態を示している。
【００７３】
このように、液晶パネル１４、１８のサイズを相違させることにより、前方側から表示画像を見たときの奥行き感や立体感を変化させることができる。この場合、スペーサ１６の形状や前方カバー１２の形状を、上記の如く、液晶パネル１４、１８のサイズ変更に応じて変更する必要がある。ただし、この場合も、これら以外のスペーサ１６は、適宜、取り外し可能である。よって、液晶パネル１４、１８間に配するスペーサ１６の個数によって、液晶パネル１４、１８間の距離を調整することができ、その結果、表示画像の立体感を調整することができる。
【００７４】
以上、本発明の実施形態について説明したが、本発明は、上記実施の形態によって何ら制限されるものではない。また、本発明の実施の形態は、特許請求の範囲に示された技術的思想の範囲内において、適宜、種々の変更が可能である。
【図面の簡単な説明】
【００７５】
【図１】この発明の液晶表示装置の分解状態の一例を示す斜視図である。
【図２】（Ａ）は図１実施例に適用されるスペーサを斜め前方から眺めた状態を示す斜視図であり、（Ｂ）は図１実施例に適用されるスペーサを斜め後方から眺めた状態を示す斜視図である。
【図３】積層される複数のスペーサの一部を示す部分拡大図である。
【図４】図１実施例に適用される前方カバーの一部を示す部分拡大図である。
【図５】背面側液晶パネルの一部を示す部分拡大図である。
【図６】前方カバーと背面側液晶パネルとの係合状態の一例を示す部分断面図である。
【図７】（Ａ）は液晶表示装置の分解状態の一例を示す側面図であり、（Ｂ）は液晶表示装置の組み立て状態の一例を示す側面図である。
【図８】この発明の液晶表示装置の分解状態の他の一例を示す斜視図である。
【図９】この発明の液晶表示装置の分解状態のその他の一例を示す斜視図である。
【図１０】図８実施例の組み立て状態の一例を示す側面図である。
【図１１】図９実施例の組み立て状態の一例を示す側面図である。
【図１２】図１実施例に適用されるスペーサの他の一例を示す部分拡大図である。
【図１３】図１実施例に適用されるスペーサのその他の一例を示す部分拡大図である。
【図１４】実施例の液晶表示装置をパチンコ機に組込んだ構成例を示す図である。
【図１５】図１４構成例における回路構成を示す図である。
【図１６】実施例の液晶表示装置をスロットマシンに組込んだ構成例を示す図である。
【図１７】図１６構成例における回路構成を示す図である。
【図１８】この発明の液晶表示装置の分解状態の他の一例を示す斜視図である。
【図１９】この発明の液晶表示装置の分解状態の他の一例を示す斜視図である。
【図２０】図１８実施例と図１９実施例の組立工程を示す平面図である。
【符号の説明】
【００７６】
１０  …  液晶表示装置
１２  …  前方カバー
１４  …  正面側液晶パネル
１６  …  スペーサ
１８  …  背面側液晶パネル
２０  …  後方カバー
３０７  …  画像ボード
４０７  …  画像ボード
【図１】
2008152235.tif 000003
【図２】
2008152235.tif 000004
【図３】
2008152235.tif 000005
【図４】
2008152235.tif 000006
【図５】
2008152235.tif 000007
【図６】
2008152235.tif 000008
【図７】
2008152235.tif 000009
【図８】
2008152235.tif 000010
【図９】
2008152235.tif 000011
【図１０】
2008152235.tif 000012
【図１１】
2008152235.tif 000013
【図１２】
2008152235.tif 000014
【図１３】
2008152235.tif 000015
【図１４】
2008152235.tif 000016
【図１５】
2008152235.tif 000017
【図１６】
2008152235.tif 000018
【図１７】
2008152235.tif 000019
【図１８】
2008152235.tif 000020
【図１９】
2008152235.tif 000021
【図２０】
2008152235.tif 000022